(57)【要約】【課題】従来のレースカーテンは軽いので、強い風が吹くとめくれたり一方側に片寄ったりするので、強いが風が吹いた場合は、等間隔に設けたフリル片の開口通風部から風が吹き抜けられる通風型カーテンを提供する。【解決手段】所定の長さと幅の帯片２の左右に、柔らかいフリル片３を取り付けて成る布地を複数枚左右に連接して開口通風部４を形成する上端部に掛け縁布５を取り付け、下端部に連結縁布６を取り付けて成る通風型カーテン１を構成する。【選択図】図１
0003138460.tif 000002
【実用新案登録請求の範囲】
【請求項１】
所定の長さと幅を有する帯片の左右にフリル片を取り付けて成る各布片を複数枚並列して開口通風部を形成する上端部に、掛け縁布を取り付け取り付けて成る構成を特徴とする通風型カーテン。
【請求項２】
前記する各帯片の下端部に、連結縁布を取り付けて成る請求項１に記載する通風型カーテン。
【請求項３】
前記する各帯片の上下中ほどに、連結紐を取り付けて成る請求項１に記載する通風型カーテン。
【請求項４】
前記するカーテンの素材が、半透過性のレース地素材で成る請求項１又は請求項２又は請求項３に記載する通風型カーテン。
【考案の詳細な説明】
【技術分野】
【０００１】  本考案は、窓全体をカーテンで覆って外部からの遮蔽を行えることはもとより、必要な時に窓を開けても遮蔽は維持しつつも窓からの通風をスムーズにすることで、カーテンが風でめくれたり一方に片寄るのを防ぐことができるカーテンに関する。
【背景技術】
【０００２】  従来より、建物の窓、特に家庭においては、外部からの視線を防ぐためや強い日差しが室内に入るの防ぐために、通常の布地やレース地によるカーテンを窓内側に專用の器具を用いて開閉自在に吊り下げている。【０００３】  また、病院や保養所では非透過性の布地によるカーテンを使用するが、その一般的なカーテン地の下部を透視可能なネット地にすることで、病院や保養所の見回りの際の様子窺いに便利で、且つ、遮蔽性と通気性を有するカーテン地の技術がある。（例えば、特許文献１参照）
【特許文献１】実用新案登録番号３００４９２９号公報
【考案が解決しようとする課題】
【０００４】  前記するように、一般的には窓寄りには半透過性のレースカーテンを吊り、室内側には非透過性の布地によるカーテンが一組として用いられているが、窓を開けて居る際に強い風が吹いた場合、非透過性の布地によるカーテンは比較的重いのでめくれ上がりにくいが、昼間に多用されるレースカーテンの場合は軽いので、強い風が吹くとめくれ上がったり一方側に片寄ってしまい、外部からの視線を防ぐことができずに室内を覗かれるなどの不便があった。
【０００５】  また、実用新案登録番号３００４９２９号公報によるカーテンは、カーテンの下部をネットにすることで、病院や保養所の見回りの際にカーテンを開けずに病人の様子を窺い知ることができるとともに通気性も良いカーテンである。
【０００６】  しかし、このネットはレース地などに比べるとはるかに編み目が大きいので、一般家庭のカーテンとして使用するには遮蔽効果がなく、またネット面以外は通常の布地であるため、強い風を受けるとめくれ上がったり一方側に片寄ったりするなどの不便や欠点があるカーテンであった。
【課題を解決するための手段】
【０００７】  本考案は、前記するような従来の技術がもつ不便や欠点を解消するために、請求項１においては、所定の長さと幅の帯片の左右にフリル片を取り付けて成る布片を、複数枚並列して開口通風部を形成する上端部に掛け縁布を取り付けることで、強い風が吹いた際は前記フリル片の開口通風部から吹き抜けられることで、めくれ上がったり一方に片寄らないカーテンとする。
【０００８】  請求項２においては、前記する各帯片の下端部に、連結縁布を取り付けることで強い風でも下部がばらけないものとする。
【０００９】  請求項３においては、前記する各帯片の上下中ほどに連結紐を取り付けることで、丈の長いカーテンでも中ほどがばらけないものとする。
【００１０】  請求項４においては、前記するカーテンを全てレース地素材で形成することで、軽く、且つ、柔らかい日差しを得ながらも風が吹き抜けできるものとする。
【考案の効果】
【００１１】  本考案によるカーテンは、帯片の両側にフリルを付けた複数枚の布片を左右に連接形成したカーテンであるので、窓を開けていて強い風が吹いても前記するフリル片の開口通風部から通り抜けるため、カーテンが風でめくれたり一方側に片寄ったりしないので、外部からの視線を遮ったり、強い太陽光を遮蔽することができる従来には見られないユニークな通風型カーテンを提供することができる。
【００１２】  これは全体がレース素材によるカーテンを対象とするが、通常の布地による非透過性の布地でも採用できるものであり、また、いずれも開口通風部にはフリルがついているのでアクセントにもなり、室内の雰囲気を豪華に演出することができるカーテンである。
【００１３】  加えて、常時紫外線を受ける位置にあるカーテンに光触媒加工を施しているので、光触媒反応による抗菌、消臭効果はもとより、雑菌やシックハウスの原因となる有害ガスや匂い分子等の分解作用を得られるため、機能的にして効果的な贈り物としても喜ばれる楽しいカーテンである。
【考案を実施するための最良の形態】
【００１４】  本考案の通風型カーテンの第１の実施形態を示す正面図と図２に示す帯生地の要部拡大図で説明する。
本実施形態による通風型カーテン１は全体が半透過性のレース生地素材によるものとし、まず、窓の上下長さで、且つ、幅は約４０〜５０ミリ程度の帯片２の左右に、柔らかいフリル片３，３を取り付けた布片を複数枚形成し、その布片の前記フリル片３，３が触れ合う程度に左右に並列して開口通風部４，４を形成する上端部に、フックを取り付ける掛け縁布５を取り付け、下端部には各帯片２，２を繋ぐ連結縁布６を取り付けて成る通風型カーテン１を構成し、さらに、その通風型カーテン１に二酸化チタンによる光触媒加工を施したものとする。【００１５】  第１実施形態による通風型カーテン１は、帯片２の左右にフリル片３，３を取り付けた複数枚の布片が隣り合うフリル片３，３が僅かに触れ合う程度に並列して開口通風部４を形成するので、窓から強い風が吹き込んだ際は図３に示すように多少カーテンは揺れても前記する開口通風部４，４から吹き抜けるので、カーテンがめくれ上がったり一方に片寄ることがない通風型カーテン１となる。【００１６】  本考案の第２の実施形態による通風型カーテンを図３に示す正面図で説明する。
第２の実施形態による通風型カーテン１は基本的には第１実施形態と同じであるが、上下の丈が長い一般的な窓を対象とするカーテンであり、帯片２の左右にフリル片３，３を取り付けた布片複数枚を左右に並列して開口通風部４を形成した上端部に掛け縁布５を、下端部に連結縁布６を取り付けて成る上下中ほどを、連結紐７で繋いで成る通風型カーテン１を構成する。【００１７】  第２の実施形態による通風型カーテン１は第１実施形態と同様であるが、一般的な大きな窓を対象とする上下の丈が長いカーテンであり、この実施形態では、上下の中ほどに左右の帯片２，２を繋ぐ連結紐７を取り付けているので、丈が長いカーテンの場合でも強い風で中ほどがばらけたり広がる心配がない通風型カーテン１を形成する。尚、本実施形態による通風型カーテン１においても、光触媒加工を施すものとする。【００１８】  本考案は前記のような第１及び第２実施形態を示すが、いずれも帯片２，２の下端部には連結縁布６を取り付けているが、図示しないが、連結縁布６を必ずしも取り付けなくても差し支えないものである。【００１９】    本考案による通風型カーテン１は以上のような構成であるが、その形態におけるフリル片３付き帯片２及び上部の掛け縁布５や下部の連結縁布６いずれも半透過性のレース生地で形成しているが、フリル片３を除いた他の生地は非透過性の通常の布地でもよいし、またフリル片３も含めて全て通常の非透過性のカーテン地で形成してもよい。またフリル片３付き帯片２は、上下の任意の位置に適度な幅に設けてもよい。さらに、通風型カーテンに光触媒加工の方法は、あらかじめ光触媒処理した繊維を用いるのもよいし、製品にした後に光触媒加工を施してもよいものであり、いずれも特に限定するものではない。
【図面の簡単な説明】
【００２０】
【図１】本考案による通風型カーテンの第１の実施形態を示す正面図である。
【図２】第１の実施形態の通風型カーテンの帯片を示す要部拡大図である。
【図３】第２の実施形態の通風型カーテンを示す正面図である。
【図４】本考案の使用状態を示す斜視図である。
【符号の説明】
【００２１】１  通風型カーテン
２  帯片
３  フリル片
４  開口通風部
５  掛け縁布
６  連結縁布
７  連結紐
【図１】
0003138460.tif 000003
【図２】
0003138460.tif 000004
【図３】
0003138460.tif 000005
【図４】
0003138460.tif 000006